(57)【要約】【課題】ユーザがプロジェクタの操作と出力源であるＰＣ等の操作とを並列的に効率よく行うことができるプロジェクタ装置を提供する。【解決手段】プロジェクタ装置から投射される光をハーフミラー等により分光し、この分光された光をユーザがプロジェクタ装置近傍に保持する子スクリーンに投影する手段と、前記子スクリーンにユーザ操作を受け付け、ユーザの操作入力をプロジェクタ装置を介してＰＣ等に送信する手段とを備えることを特徴とするプロジェクタ装置。【選択図】図１
2007108570.tif 000002
【特許請求の範囲】
【請求項１】
プロジェクタ本体部から投射される光の全部又は一部を反射する手段と、
前記反射光を受光し表示する携帯可能な手段とを備えたプロジェクタ装置。
【請求項２】
プロジェクタ本体部から投射される光の一部を反射するハーフミラーと、
前記ハーフミラーにより反射された光を受光し表示する携帯可能な子スクリーンとを備えたプロジェクタ装置。
【請求項３】
プロジェクタ本体部から投射される光の偏光軸を切り替える偏光軸切換手段と、
前記偏光軸切換手段を通過した光をその偏光軸に応じて透過又は反射する反射偏光板と、
前記反射偏光板により反射された光を受光し表示する携帯可能な子スクリーンとを備えたプロジェクタ装置。
【請求項４】
前記偏光軸切換手段はＴＮ液晶により構成されていることを特徴とする請求項３に記載のプロジェクタ装置。
【請求項５】
前記子スクリーンは、ユーザ入力手段を有しており、当該ユーザ入力はプロジェクタ本体部に出力されることを特徴とする請求項１から４のいずれか１項に記載のプロジェクタ装置。
【請求項６】
前記子スクリーンのユーザ入力手段は、前記子スクリーン上に設けられたタッチパネルであることを特徴とする請求項５に記載のプロジェクタ装置。
【発明の詳細な説明】
【技術分野】
【０００１】
本発明は、ＰＣ等からの出力画面を投影するプロジェクタ装置に関し、特に、ユーザが利用しやすいように出力画面の内容を確認するための表示部を別途設けたプロジェクタ装置に関するものである。
【背景技術】
【０００２】
プレゼンテーションや会議などにおいて、出席者に効果的に情報を提示するために、プロジェクタ装置を用いて大きなスクリーンに情報を表示することが行われている。従来のプロジェクタ装置は、図６に示すように、ＰＣ等から出力されるＲＧＢアナログ信号等の出力信号（映像ライン）を所定の拡大率でスクリーンに投影するものであり、ユーザがＰＣ等を操作することにより、ポインタの操作や表示画面の切り換えなどが行われるようになっている。
【特許文献１】特開２００１−３５６７５７号公報
【発明の開示】
【発明が解決しようとする課題】
【０００３】
上記したように、ユーザは通常、ＰＣの傍らにおいて様々な操作をしながらプレゼンテーションを進行していくのであるが、プロジェクタ装置及びスクリーンの設置状況によってはスクリーンがよく見えず、スクリーン上での表示状況が把握できないため、プレゼンテーションの円滑な進行ができない場合がある。また、プロジェクタ装置においてＯＳＤ（On Screen Display）メッセージの表示のオン・オフの設定を行ったり、ポインタやカーソルを操作したり、装置の設置位置やライティングを微調整したりしたい場合であっても、その都度ＰＣから離れてプロジェクタ装置を直接操作していては、手間がかかりプレゼンテーションの円滑な進行ができなくなってしまう。
【０００４】
本発明は、このような実情に鑑みてなされたものであり、ユーザがプロジェクタの操作と出力源であるＰＣ等の操作とを並列的に効率よく行うことができるプロジェクタ装置を提供しようとするものである。
【課題を解決するための手段】
【０００５】
本発明者は、鋭意研究の結果、プロジェクタ装置から投射される光をハーフミラー等により分光し、この分光された光をユーザがプロジェクタ装置近傍に保持する子スクリーンに投影するとともに、前記子スクリーンにおいてユーザ操作を受け付け、このユーザの操作入力をプロジェクタ装置を介してＰＣ等に送信する構成とすることにより、上記課題を解決したプロジェクタ装置を実現できることに想到した。
【０００６】
すなわち、本発明は、プロジェクタ本体部から投射される光の全部又は一部を反射する手段と、前記反射光を受光し表示する携帯可能な手段とを備えたプロジェクタ装置を提供するものである。
【０００７】
本発明は、また、プロジェクタ本体部から投射される光の一部を反射するハーフミラーと、前記ハーフミラーにより反射された光を受光し表示する携帯可能な子スクリーンとを備えたプロジェクタ装置を提供するものである。
【０００８】
本発明は、また、プロジェクタ本体部から投射される光の偏光軸を切り替える偏光軸切換手段と、前記偏光軸切換手段を通過した光をその偏光軸に応じて透過又は反射する反射偏光板と、前記反射偏光板により反射された光を受光し表示する携帯可能な子スクリーンとを備えたプロジェクタ装置を提供するものである。このプロジェクタ装置において、前記偏光軸切換手段はＴＮ液晶により構成されているのが好ましい。
【０００９】
本発明のプロジェクタ装置において、前記子スクリーンは、ユーザ入力手段を有しており、当該ユーザ入力はプロジェクタ本体部に出力されることを特徴とする。このユーザ入力手段は、前記子スクリーン上に設けられたタッチパネルであるのが好ましい。
【発明の効果】
【００１０】
以上、説明したように、本発明のプロジェクタ装置によれば、ユーザは、子スクリーンによりスクリーンの表示内容を確認しながらタッチパネルにて必要な操作を行うことができるので、ＰＣの傍を離れた位置においても、状況を十分に把握しながらプレゼンテーションを円滑に進行することができる。また、偏光軸切替装置を適用することにより、簡単な操作で、発表者であるユーザ用の子スクリーンへの表示と、視聴者向けのスクリーンへの表示とを適時切り替えることができるので、ユーザは効率よくプレゼンテーションを進行することができる。尚、本発明のプロジェクタ装置は、上記したハーフミラーや反射偏光板、偏光軸切替素子を従来のプロジェクタ装置に付加することにより構成することができるので、特別な装置設計や高コストな部品付加を伴うことなく容易に実施することが可能である。
【発明を実施するための最良の形態】
【００１１】
以下、添付図面を参照しながら、本発明のプロジェクタ装置を実施するための最良の形態を詳細に説明する。図１〜図５は、本発明の実施の形態を例示する図であり、これらの図において、同一の符号を付した部分は同一物を表わし、基本的な構成及び動作は同様であるものとする。
【００１２】
[第１実施形態]
本発明のプロジェクタ装置の第１実施形態について説明する。図１は、本実施形態におけるプロジェクタ装置の構成を概略的に示す図である。図１において、プロジェクタ装置は、投射レンズとスクリーンとの間に配置されたハーフミラーと、プロジェクタ本体に接続された子スクリーンとを備えている。プロジェクタ本体部はさらに、ＰＣと接続されており、ＰＣからプロジェクタ本体部には映像ラインが出力され、プロジェクタ本体部からＰＣには制御ラインが出力されるようになっている。映像ラインはＲＧＢ信号を送信するアナログ信号線であり、制御ラインはＵＳＢ等のデジタル信号線である。
【００１３】
プロジェクタ本体部は、ＰＣから出力された映像をスクリーン上に適切に投影するための一般的な機構として、光学系、ズームレンズ、フォーカスレンズ等を備えている。ハーフミラーは、投射レンズからスクリーンに向かって投射される光のうち、一部を透過し一部を反射するものである。これにより、投射レンズからスクリーンに向けて投射される映像のうち一部がハーフミラーの反射光路上に配置された子スクリーンに入射されるようになっている。
【００１４】
図２は、子スクリーンの構成を概略的に示す図である。図２に示すように、子スクリーンは、ハーフミラーから受光した投影光を映像として表示するためのスクリーン部の上に、ユーザ操作用のタッチパネルが重ね合わされた構成となっている。また、子スクリーンは、プロジェクタ本体部にタッチパネル入力を出力するための接続ラインを備えている。接続ラインは、タッチパネルの構成に応じて、ＵＳＢ等のデジタル信号線又はアナログ信号線を用いる。
【００１５】
ユーザが子スクリーンのタッチパネルにより行った操作は、上記接続ラインによりプロジェクタ本体部に入力された後、制御ラインによりＰＣに伝えられて、ＰＣ上で入力された操作に応じた処理が行われる。ユーザは、子スクリーンのタッチパネルにおいて、ポインタやカーソルの操作、ページ切り替えの操作、表示の変更、各種設定などを行うことができる。ここに例示した他にも、ユーザがＰＣ上で実行可能なあらゆる操作をタッチパネル上で行うことができるように任意に設計することが可能である。
【００１６】
このように構成されたプロジェクタ装置において、ユーザはＰＣの傍を離れても、子スクリーンによりスクリーンの表示内容を確認しながら、任意の画面操作を行ってプレゼンテーションを効果的に進行することができる。また、ハーフミラーと子スクリーンは、プロジェクタ本体部から独立した機器であるため、その配置についての制約はなく、設置場所の構造的条件やユーザの立ち位置等に応じて柔軟に配置が可能であるので、ユーザにとっての利便性が高い。
【００１７】
尚、ハーフミラーに換えて、半透過型液晶を配置してもよい。この場合、半透過型液晶を操作することにより、スクリーンへの投射を遮断して子スクリーンのみに表示を行うことができる。
【００１８】
[第２実施形態]
本発明のプロジェクタ装置の第２実施形態について説明する。図３は、本実施形態におけるプロジェクタ装置の構成を概略的に示す図である。図３において、プロジェクタ装置は、投射レンズとスクリーンとの間に配置された反射偏光板及び偏光軸切替素子と、プロジェクタ本体に接続された子スクリーンとを備えている。プロジェクタ本体部はさらに、ＰＣと接続されており、ＰＣからプロジェクタ本体部には映像ラインが出力され、プロジェクタ本体部からＰＣには制御ラインが出力されるようになっている。映像ラインはＲＧＢ信号を送信するアナログ信号線であり、制御ラインはＵＳＢ等のデジタル信号線である。
【００１９】
偏光軸切替素子は、ＴＮ液晶等からなり、投影レンズから出射される光を一定方向に偏光させる素子である。あるいは、あらかじめ一定方向に偏光された光を他の方向に偏光させる素子である。本実施形態では、あらかじめ一定方向に偏光された光を入射光を約９０度偏光させることができる素子を用いればよい。また、偏光軸切替素子は、プロジェクタ装置本体部に内蔵されていてもよい。
【００２０】
図４及び図５に示すように、偏光軸切替素子に接続された電源及びスイッチにより、偏光軸切替素子の偏光方向を自由に切り替えることができるようになっている。反射偏光板は、投影光の進行方向に垂直な面において、一定の方向に振幅を有する光のみを透過する一方で、これと約９０度異なる方向に振幅を有する光を反射するものである。
【００２１】
上記のほか、子スクリーンなどの構成については、第１実施形態のものと同様であるものとする。
【００２２】
図４に示すように偏光軸切替素子の偏光方向が反射偏光板の偏光方向とが約９０度異なる状態においては、投射レンズからスクリーンに向けて投射される映像が反射偏光板により反射されて、その反射光路上に配置された子スクリーンに入射されるようになっており、一方で、図５に示すように偏光軸切替素子の偏光方向が反射偏光板の偏光方向とほぼ一致する状態においては、投射レンズからスクリーンに向けて投射される映像が反射偏光板を透過して、スクリーンに投影されるようになっている。
【００２３】
このように構成されたプロジェクタ装置において、ユーザはＰＣの傍を離れた位置においても、偏光軸切替素子の偏光方向を自由に切り替えることにより、子スクリーンにプロジェクタ装置の表示内容を表示させてこれを確認しながら、任意の画面操作を行ってプレゼンテーションを効果的に進行することができる。また、反射偏光版、偏光軸切替素子、及び子スクリーンは、プロジェクタ本体部から独立した機器であるため、その配置についての制約はなく、設置場所の構造的条件やユーザの立ち位置等に応じて柔軟に配置が可能であるので、ユーザにとっての利便性が高い。
【００２４】
尚、本発明のプロジェクタ装置において、スクリーンは必須の構成要素ではない。例えば、少人数に対するプレゼンテーションの場合には、子スクリーンを参加者向けの表示手段として用いることもできる。これにより、大型のスクリーンを準備する手間を省くことができ、ユーザにとって便利である。
【００２５】
以上、本発明のプロジェクタ装置について、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【図面の簡単な説明】
【００２６】
【図１】本発明の第１実施形態におけるプロジェクタ装置の構成を概略的に示す図である。
【図２】図１に示す子スクリーンの構成を概略的に示す図である。
【図３】本発明の第２実施形態におけるプロジェクタ装置の構成を概略的に示す図である。
【図４】図３に示すプロジェクタ装置における反射偏光板の偏光方向の切り替えを示す図である。
【図５】図３に示すプロジェクタ装置における反射偏光板の偏光方向の切り替えを示す図である。
【図６】従来のプロジェクタ装置の概略を示す図である。
【図１】
2007108570.tif 000003
【図２】
2007108570.tif 000004
【図３】
2007108570.tif 000005
【図４】
2007108570.tif 000006
【図５】
2007108570.tif 000007
【図６】
2007108570.tif 000008